(57)【要約】      （修正有）【課題】高速電力増幅器制御のためのシステム及び方法を提供する。【解決手段】固定利得増幅器１３がディスエーブルされる前、かつ自動利得制御器１１が最後に利得を調節した後に、基準伝送電力値を自動利得制御器から読み出し、利得レベルを固定利得増幅器から読み出し、基準伝送電力値及び利得レベルを記憶モジュール１６内に保存し、固定利得増幅器がイネーブルされる前、かつ自動利得制御器が最後に利得を調節した後に、記憶モジュール内に保存された基準伝送電力値を自動利得制御器内に書き込み、記憶モジュール内に保存された利得レベルを固定利得増幅器内に書き込む。【選択図】図１
2014039243.tif 000002
【特許請求の範囲】
【請求項１】
順に接続された、自動利得制御器、可変利得増幅器、固定利得増幅器、及び無線周波数アンテナと、
ここで、フィードバックモードにおいて、前記固定利得増幅器の出力端は、前記自動利得制御器の入力端に接続され、
前記固定利得増幅器がディスエーブルされる前、かつ、前記自動利得制御器が最後に利得を調節した後に、基準伝送電力値を前記自動利得制御器から読み出し、利得レベルを前記固定利得増幅器から読み出し、前記基準伝送電力値及び前記利得レベルを記憶モジュール内に保存するように構成された、プロセッサと、
前記固定利得増幅器がイネーブルされる前、かつ、前記自動利得制御器が最後に利得を調節した後に、前記記憶モジュール内に保存された前記基準伝送電力値を前記自動利得制御器内に書き込み、前記記憶モジュール内に保存された前記利得レベルを前記固定利得増幅器内に書き込むように更に構成された、前記プロセッサと、
前記基準伝送電力値及び前記利得レベルを保存するように構成された、前記記憶モジュールと
を備える、高速電力増幅器制御のためのシステム。
【請求項２】
前記プロセッサは、前記固定利得増幅器がディスエーブルされた時から、前記固定利得増幅器がイネーブルされる時までの期間中、前記自動利得制御器を一時的に動作を停止するよう制御するように更に構成される、請求項１に記載の高速電力増幅器制御のためのシステム。
【請求項３】
固定利得増幅器がディスエーブルされる前、かつ、自動利得制御器が最後に利得を調節した後に、基準伝送電力値を前記自動利得制御器から読み出し、利得レベルを前記固定利得増幅器から読み出し、前記基準伝送電力値及び前記利得レベルを記憶モジュール内に保存することと、
前記固定利得増幅器がイネーブルされる前、かつ、前記自動利得制御器が最後に利得を調節した後に、前記記憶モジュール内に保存された前記基準伝送電力値を前記自動利得制御器内に書き込み、前記記憶モジュール内に保存された前記利得レベルを前記固定利得増幅器内に書き込むことと、
を含む、高速電力増幅器制御のための方法。
【請求項４】
前記固定利得増幅器がディスエーブルされた時から、前記固定利得増幅器がイネーブルされる時までの期間中、前記自動利得制御器を一時的に動作を停止するよう制御すること
を更に含む、請求項３に記載の方法。
【請求項５】
前記自動利得制御器から基準伝送電力値を読み出し、前記固定利得増幅器から利得レベルを読み出すことの前に、前記方法は、
前記固定利得増幅器内の状態フラグビットに従って、前記固定利得増幅器がディスエーブルされているかどうかを判定することと、
前記固定利得増幅器がディスエーブルされていない場合、前記基準伝送電力値を前記自動利得制御器から読み出し、前記利得レベルを前記固定利得増幅器から読み出すこと
を更に含む、請求項３又は４に記載の方法。
【請求項６】
前記記憶モジュール内に保存された前記基準伝送電力値を前記自動利得制御器内に書き込み、前記記憶モジュール内に保存された前記利得レベルを前記固定利得増幅器内に書き込むことの前に、前記方法は、
前記固定利得増幅器内の状態フラグビットに従って、前記固定利得増幅器がイネーブルされているかどうかを判定することと、
前記固定利得増幅器がイネーブルされていない場合、前記記憶モジュール内に保存された前記基準伝送電力値を前記自動利得制御器内に書き込み、前記記憶モジュール内に保存された前記利得レベルを前記固定利得増幅器内に書き込むこと
を更に含む、請求項３又は４に記載の方法。
【発明の詳細な説明】
【技術分野】
【０００１】
本発明は、無線通信技術の分野に関し、特に、高速電力増幅器制御のためのシステム及び方法に関する。
【背景技術】
【０００２】
モバイル端末のための最新の省エネルギー技術としての、高速電力増幅器制御（Ｑｕｉｃｋｌｙ  Ｐｏｗｅｒ  Ａｍｐｌｉｆｉｅｒ  Ｃｏｎｔｒｏｌ、ＱＰＣと呼ばれる）は、送信されるべきデータをモバイル端末が有する場合、基地局に送信される信号に対する最終的な電力増幅を行うために上りリンク電力増幅器（Ｐｏｗｅｒ  Ａｍｐｌｉｆｉｅｒ、ＰＡと呼ばれる）を直ちにイネーブルし、モバイル端末がデータを基地局に送信した後、上りリンクＰＡを敏速にディスエーブルし、これにより、上りリンクＰＡの電力消費を減少させることが可能である。
【０００３】
従来技術におけるＱＰＣでは、既存の端末の一定の伝送電力を維持するために、端末のための上りリンク電力増幅リンクは、１ステージの可変利得増幅器と、１ステージの固定利得増幅器とが縦続接続されるという手法を採用する。自動利得制御（Ａｕｔｏｍａｔｉｃ  Ｇａｉｎ  Ｃｏｎｔｒｏｌ、ＡＧＣと呼ばれる）が、可変利得増幅器、及び固定利得増幅器を制御するために使用され、一方で、閉ループ電力制御が、端末の安定した出力電力を保証するために使用され、すなわち基地局が、受信された端末の伝送電力に従ってエアインタフェースメッセージを使用することによって、端末の伝送電力を制御する。
【０００４】
従来技術では、端末から基地局にデータが伝送された後、上りリンクＰＡは直接ディスエーブルされる。自動利得制御器は、上りリンクＰＡがディスエーブルされたことを認識せず、上りリンクＰＡがディスエーブルされている期間中、最大値まで電力を調節するまで、伝送電力を増加し続ける。上りリンクＰＡが再びイネーブルされた場合、上りリンクＰＡは、欺かれた利得（ｇｕｌｌ  ｇａｉｎ）を伴ってイネーブルされ、信号を伝送する。結果として、ＰＡがイネーブルされる際の、モバイル端末の伝送電力は、ＰＡがディスエーブルされた際の、モバイル端末の伝送電力とは異なる。
【発明の概要】
【発明が解決しようとする課題】
【０００５】
本発明の実施形態は、モバイル端末の伝送電力が一定であることを保証する、高速電力増幅器制御のためのシステム及び方法を提供する。
【課題を解決するための手段】
【０００６】
一方で、本発明の一実施形態は、高速電力増幅器制御のためのシステムを提供し、このシステムは、
順に接続された、自動利得制御器、可変利得増幅器、固定利得増幅器、及び無線周波数アンテナと、ここで、フィードバックモードにおいて、固定利得増幅器の出力端は、自動利得制御器の入力端に接続され、
固定利得増幅器がディスエーブルされる前、かつ、自動利得制御器が最後に利得を調節した後に、基準伝送電力値を自動利得制御器から読み出し、利得レベルを固定利得増幅器から読み出し、基準伝送電力値及び利得レベルを記憶モジュール内に保存するように構成された、プロセッサと、
固定利得増幅器がイネーブルされる前、かつ、自動利得制御器が最後に利得を調節した後に、記憶モジュール内に保存された基準伝送電力値を自動利得制御器内に書き込み、記憶モジュール内に保存された利得レベルを固定利得増幅器内に書き込むように更に構成された、プロセッサと、
基準伝送電力値及び利得レベルを保存するように構成された、記憶モジュールとを含む。
【０００７】
他方で、本発明の一実施形態は、高速電力増幅器制御のための方法を提供し、この方法は、
固定利得増幅器がディスエーブルされる前、かつ、自動利得制御器が最後に利得を調節した後に、基準伝送電力値を自動利得制御器から読み出し、利得レベルを固定利得増幅器から読み出し、基準伝送電力値及び利得レベルを記憶モジュール内に保存し、
固定利得増幅器がイネーブルされる前、かつ、自動利得制御器が最後に利得を調節した後に、記憶モジュール内に保存された基準伝送電力値を自動利得制御器内に書き込み、記憶モジュール内に保存された利得レベルを固定利得増幅器内に書き込むことを含む。
【発明の効果】
【０００８】
本発明の実施形態によって提供される、高速電力増幅器制御のためのシステム及び方法を使用すれば、固定利得増幅器がディスエーブルされる前、かつ、自動利得制御器が最後に利得を調節した後に、基準伝送電力値が自動利得制御器から読み出され、利得レベルが固定利得増幅器から読み出され、固定利得増幅器がイネーブルされる前、かつ、自動利得制御器が最後に利得を調節した後に、記憶モジュール内に保存された基準伝送電力値が自動利得制御器内に書き込まれ、記憶モジュール内に保存された利得レベルが固定利得増幅器内に書き込まれ、結果として、固定利得増幅器がイネーブルされる際のリンク利得状態が、固定利得増幅器がディスエーブルされる前のリンク利得状態と一致し、これにより、上りリンク信号の伝送電力が良好な品質を有して安定することが保証される。
【図面の簡単な説明】
【０００９】
本発明の実施形態における、又は従来技術における技術的解決法をより明確に示すために、実施形態又は従来技術を説明するために必要とされる添付の図面について、以下に簡単に紹介する。明らかに、以下の説明における添付の図面は、本発明のいくつかの実施形態を示すものにすぎず、当業者は、これらの添付の図面から、創造的な活動を行うことなく、その他の図面を更に導き出すことが可能である。
【００１０】
【図１】本発明の実施形態による、高速電力増幅器制御のためのシステムの構成概略図である。
【図２】本発明の実施形態による、高速電力増幅器制御のための方法のフローチャートである。
【図３】本発明の実施形態による、高速電力増幅器制御のための方法の読み出しフローチャートである。
【図４】本発明の実施形態による、高速電力増幅器制御のための方法の書き込みフローチャートである。
【発明を実施するための形態】
【００１１】
本発明の実施形態の目的、技術的解決法、及び利点をより明確にするために、以下では、本発明の実施形態における技術的解決法について、本発明の実施形態における添付の図面を参照して明確かつ完全に説明する。明らかに、説明される実施形態は、本発明の実施形態の全てではなく一部にすぎない。当業者によって、本発明の実施形態に基づいて創造的な活動を行うことなく取得される全てのその他の実施形態は、本発明の保護範囲内に入る。
【００１２】
図１は、本発明の一実施形態による、高速電力増幅器制御のためのシステムの構成概略図である。図１に示すように、高速電力増幅器制御のためのシステムは、順に接続された、自動利得制御器１１、可変利得増幅器１２、固定利得増幅器１３、及び無線周波数アンテナ１４を含み、ここで、フィードバックモードにおいて、固定利得増幅器１３の出力端は、自動利得制御器１１の入力端に接続される。
【００１３】
具体的には、本発明の実施形態によって提供される高速電力増幅器制御のためのシステムは、閉ループフィードバック制御システムであってもよく、モバイル端末の伝送電力は、閉ループフィードバック制御システムを介して制御される。固定利得増幅器１３の出力電力は、自動利得制御器１１にフィードバックされてもよく、自動利得制御器１１は、固定利得増幅器１３から取得されたフィードバック電力、すなわち、固定利得増幅器１３の出力電力を次回信号を伝送する際のモバイル端末の基準伝送電力値として使用する。可変利得増幅器１２の利得及び固定利得増幅器１３の利得は、バイアス制御を介して自動的に調節され、これにより、出力電力の安定性が保証される。例えば、モバイル端末の伝送電力値、すなわち、固定利得増幅器１３の出力電力が、基準伝送電力値より小さい場合、自動利得制御器１１は、可変利得増幅器１２の利得及び固定利得増幅器１３の利得を調節して、モバイル端末の伝送電力を増加させて、伝送電力を基準伝送電力値に近く、又は等しくさせ、モバイル端末の伝送電力値、すなわち、固定利得増幅器１３の出力電力が、基準伝送電力値より大きい場合、自動利得制御器１１は、可変利得増幅器１２の利得及び固定利得増幅器１３の利得を調節して、モバイル端末の伝送電力を減少させて、伝送電力を基準伝送電力値に近く、又は等しくさせ、結果として、モバイル端末の出力電力は、不変のままとなり、又は小さな範囲内で変動し、これにより、出力電力が一定であることが保証される。特に、固定利得増幅器１３は、１つ〜３つ又は更に多くの利得レベルを有し、各利得レベルは１つの固定増幅利得に対応する。
【００１４】
本発明の実施形態によって提供される、高速電力増幅器制御のためのシステムは、プロセッサ１５を更に含み、ここで、プロセッサ１５は、固定利得増幅器１３がディスエーブルされる前、かつ、自動利得制御器１１が最後に利得を調節した後に、基準伝送電力値を自動利得制御器１１から読み出し、利得レベルを固定利得増幅器１３から読み出し、基準伝送電力値及び利得レベルを記憶モジュール内に保存するように構成され、
プロセッサ１５は、固定利得増幅器１３がイネーブルされる前、かつ、自動利得制御器１１が最後に利得を調節した後に、記憶モジュール内に保存された基準伝送電力値を自動利得制御器１１内に書き込み、記憶モジュール内に保存された利得レベルを固定利得増幅器１３内に書き込むように更に構成される。
【００１５】
具体的には、固定利得増幅器１３がディスエーブルされる前、かつ、自動利得制御器１１が最後に利得を調節した後に、プロセッサ１５は、利得レベルを固定利得増幅器１３の状態レジスタから読み出し、基準伝送電力値を自動利得制御器の状態レジスタから読み出し、基準伝送電力及び利得レベルを記憶モジュール内に保存してもよい。自動利得制御器及び固定利得増幅器は、単純な回路部品ではなく複雑な回路装置であり、状態レジスタは、自動利得制御器の一部であってもよく、状態レジスタは、固定利得増幅器の一部であってもよいということを、当業者は理解するであろう。一方、状態レジスタは、自動利得制御器及び固定利得増幅器の様々な情報を記憶するために、自動利得制御器及び固定利得増幅器の外部に設けられてもよい。
【００１６】
固定利得増幅器１３がイネーブルされる前、かつ自動利得制御器１１が最後に利得を調節した後に、プロセッサ１５は、記憶モジュール１６内に保存された基準伝送電力値を自動利得制御器１１の状態レジスタ内に書き込み、記憶モジュール１６内に保存された利得レベルを固定利得増幅器１３の状態レジスタ内に書き込んでもよい。自動利得制御器１１の状態レジスタ内における論理的読み出し位置と論理的書き込み位置とは同じであり、固定利得増幅器１３の状態レジスタ内における論理的読み出し位置と論理的書き込み位置とは同じである、ということを、当業者は理解するであろう。
【００１７】
本発明の実施形態による、高速電力増幅器制御のためのシステムは、基準伝送電力値及び利得レベルを保存するように構成された、記憶モジュール１６を更に含む。
【００１８】
具体的には、記憶モジュール１６は、プロセッサ１５がシステムに申請するメモリの一セクションであってもよく、そして、固定利得増幅器１３から読み出された利得レベル及び自動利得制御器１１から読み出された基準伝送電力を記憶するように構成されてもよい。
【００１９】
本発明の実施形態による高速電力増幅器制御のためのシステムは、フィードバックモードにおいて、固定利得増幅器の出力端を自動利得制御器の入力端に接続し、可変利得増幅器の利得及び固定利得増幅器の利得を調節するために自動利得制御器を使用することによって、出力電力を不変又は小さな範囲内で変動するように保ち、出力電力が一定であることを保証することが可能であり、固定利得増幅器がディスエーブルされる前、かつ、自動利得制御器が最後に利得を調節した後に、基準伝送電力値を自動利得制御器から読み出し、利得レベルを固定利得増幅器から読み出すことが可能であり、固定利得増幅器がイネーブルされる前、かつ、自動利得制御器が最後に利得を調節した後に、記憶モジュール内に保存された基準伝送電力値を自動利得制御器内に書き込み、記憶モジュール内に保存された利得レベルを固定利得増幅器内に書き込むことが可能であり、これにより、自動利得制御器及び固定利得増幅器がディスエーブルされる際の伝送電力が、続いて自動利得制御器及び固定利得増幅器がイネーブルされる際の伝送電力と一致することが可能であり、これにより上りリンク信号の伝送電力が、良好な品質を有して安定することが保証される。
【００２０】
場合によっては、固定利得増幅器１３がディスエーブルされた時から、固定利得増幅器１３がイネーブルされる時までの期間中、プロセッサ１５は、自動利得制御器１１を一時的に動作を停止するよう制御するように更に構成される。
【００２１】
場合によっては、固定利得増幅器１３がイネーブルされた時から、固定利得増幅器１３がディスエーブルされる時までの期間中、プロセッサ１５は、自動利得制御器１１を動作中状態に保つよう制御してもよい。
【００２２】
本発明の実施形態によって提供される技術的解決法を使用すれば、固定利得増幅器がディスエーブルされた時から、固定利得増幅器がイネーブルされる時までの期間中、自動利得制御器は、一時的に動作を停止するよう制御される。これは、ＱＰＣ技術の省エネルギー要件を満たすだけでなく、電力消費を更に減少させる。
【００２３】
図２は、本発明の一実施形態による、高速電力増幅器制御のための方法のフローチャートである。本発明の実施形態によって提供される高速電力増幅器制御のための方法は、本発明の実施形態によって提供される高速電力増幅器制御のためのシステムに基づくことに留意されたい。図２に示すように、高速電力増幅器制御のための方法は、以下のステップを含む。
【００２４】
ステップ２０１：固定利得増幅器がディスエーブルされる前、かつ、自動利得制御器が最後に利得を調節した後に、基準伝送電力値を自動利得制御器から読み出し、利得レベルを固定利得増幅器から読み出し、基準伝送電力値及び利得レベルを記憶モジュール内に保存する。
【００２５】
ステップ２０２：固定利得増幅器がイネーブルされる前、かつ、自動利得制御器が最後に利得を調節した後に、記憶モジュール内に保存された基準伝送電力値を自動利得制御器内に書き込み、記憶モジュール内に保存された利得レベルを固定利得増幅器内に書き込む。
【００２６】
具体的には、ＱＰＣ技術の特性に従って、プロセッサは、固定利得増幅器がディスエーブル及びイネーブルされる前に、基準伝送電力値及び利得レベルを読み出し、又は書き込みしてもよく、この特性は、データ伝送が完了したことをプロセッサが検出した場合、プロセッサはモバイル端末の上りリンク上の固定利得増幅器を直ちにディスエーブルしてもよく、データが伝送される必要があることをプロセッサが検出した場合、プロセッサは上りリンク上の固定利得増幅器を再びイネーブルする、というものである。従って、プロセッサは、データ伝送が完了した後、基準伝送電力値及び利得レベルを読み出してもよく、そして、プロセッサは、データが伝送される必要がある場合、基準伝送電力値及び利得レベルを書き込んでもよい。しかし、本発明の実施形態は、これに限定されない。
【００２７】
ステップ２０１において、固定利得増幅器がディスエーブルされる前、かつ、自動利得制御器が最後に利得を調節した後、ということは、モバイル端末がデータを伝送し、自動利得制御器が最後に利得を調節した後、ということであってもよい。この期間中、プロセッサは、モバイル端末の現在の伝送電力値を自動利得制御器から読み出してもよく、この伝送電力値は、自動利得増幅器が次回イネーブルされる際の閉ループフィードバックループのための基準伝送電力値であり、プロセッサは更に、利得レベルを固定利得増幅器から読み出し、基準伝送電力値及び利得レベルを記憶モジュール内に保存してもよい。
【００２８】
対応して、ステップ２０２で、固定利得増幅器がイネーブルされる前、かつ、自動利得制御器が最後に利得を調節した後に、記憶モジュール内に保存された基準伝送電力値が自動利得制御器内に書き込まれ、記憶モジュール内に保存された利得レベルが固定利得増幅器内に書き込まれる。固定利得増幅器がディスエーブルされる前に読み出された、モバイル端末の伝送電力値及び利得レベルを、固定利得増幅器がイネーブルされる前に、自動利得制御器及び固定利得増幅器内に書き込む、前述のステップにおいて、自動利得制御器は、書き込まれたモバイル端末の伝送電力値を閉ループフィードバックループのための基準伝送電力値として設定してもよい、ということを、当業者は理解するであろう。
【００２９】
本発明の実施形態によって提供される、高速電力増幅器制御のための方法を使用すれば、固定利得増幅器が再びイネーブルされる前に、固定利得増幅器がディスエーブルされる前に読み出された基準伝送電力値、及び利得レベルが、それぞれ、自動利得制御器、及び固定利得増幅器内に書き込まれ、これにより、自動利得制御器、及び固定利得増幅器は、固定利得増幅器がディスエーブルされる前の動作状態に回復することが可能である。これにより、ＱＰＣ適用例において、固定利得増幅器がディスエーブルされる際の伝送電力が、固定利得増幅器が続いてイネーブルされる際の伝送電力と一致することが保証され、従って、伝送電力が一定であり、信号が上りリンク上で安定し、良好な品質を有することが保証される。
【００３０】
場合によっては、本発明の実施形態によって提供される高速電力増幅器制御のための方法は、固定利得増幅器がディスエーブルされた時から、固定利得増幅器がイネーブルされる時までの期間中、自動利得制御器を、一時的に動作を停止するよう制御することを更に含む。
【００３１】
再びイネーブルされた場合、自動利得制御器及び固定利得増幅器は、元の動作状態に回復してもよい。従って、固定利得増幅器がディスエーブルされた時から、固定利得増幅器がイネーブルされる時までの期間中、自動利得制御器は再び動作する必要はなく、プロセッサは自動利得制御器を一時的に動作を停止するよう制御してもよい。これは、ＱＰＣ適用例の省エネルギー要件を満たす。
【００３２】
場合によっては、基準伝送電力値を自動利得制御器から読み出し、利得レベルを固定利得増幅器から読み出すことの前に、高速電力増幅器制御のための方法は、
固定利得増幅器内の状態フラグビットに従って、固定利得増幅器がディスエーブルされているかどうかを判定することと、
固定利得増幅器がディスエーブルされていない場合、基準伝送電力値を自動利得制御器から読み出し、利得レベルを固定利得増幅器から読み出すことを更に含む。
【００３３】
具体的には、一般に、基準伝送電力値が自動利得制御器から読み出され、利得レベルが固定利得増幅器から読み出される前、固定利得増幅器はイネーブルされている。しかし、少数のケースでは、固定利得増幅器はディスエーブルされている。この状況は、モバイル端末がデータを伝送している場合に、状態遷移が固定利得増幅器をディスエーブルすることをもたらしたためであり、例えば、モバイル端末によるインターネットのサーフィンなどモバイル端末がデータサービス状態にある場合に、モバイル端末が呼に応答したためであってもよく、この時、モバイル端末はデータサービス状態から呼応答状態に移り、固定利得増幅器をディスエーブルすることは、上りリンク上のタイマによって制御され、しかし、プロセッサによっては制御されず、結果として、プロセッサは固定利得増幅器がディスエーブルされる前に読み出すことができない。
【００３４】
従って、固定利得増幅器の状態を判定することが必要とされる。固定利得増幅器がディスエーブルされているかどうかは、固定利得増幅器内の状態フラグビットに従って判定されてもよい。状態フラグビットは、固定利得増幅器の状態レジスタ内に記憶されてもよく、状態フラグビットに対応するイネーブル値及びディスエーブル値は、予め設定されてもよい。本発明の実施形態では、この値を指定しない。
【００３５】
場合によっては、記憶モジュール内に保存された基準伝送電力値を自動利得制御器内に書き込み、記憶モジュール内に保存された利得レベルを固定利得増幅器内に書き込むことの前に、高速電力増幅器制御のための方法は、
固定利得増幅器内の状態フラグビットに従って、固定利得増幅器がイネーブルされているかどうかを判定することと、
固定利得増幅器がイネーブルされていない場合、記憶モジュール内に保存された基準伝送電力値を自動利得制御器内に書き込み、記憶モジュール内に保存された利得レベルを固定利得増幅器内に書き込むことを更に含む。
【００３６】
具体的には、一般に、記憶モジュール内に保存された基準伝送電力値が自動利得制御器内に書き込まれ、記憶モジュール内に保存された利得レベルが固定利得増幅器内に書き込まれる前、固定利得増幅器はディスエーブルされている。しかし、少数のケースでは、固定利得増幅器はイネーブルされている。この状況は、データサービス状態から呼応答状態に移ったモバイル端末が、呼応答状態からデータサービス状態に再び移っている場合であってもよく、この時、固定利得増幅器をイネーブルすることは、上りリンク上のタイマによって制御され、しかし、プロセッサによっては制御されず、結果として、プロセッサは、固定利得増幅器がイネーブルされる前に書き込むことができない。
【００３７】
従って、固定利得増幅器の状態を判定することが必要とされる。固定利得増幅器がイネーブルされているかどうかは、固定利得増幅器内の状態フラグビットに従って判定されてもよい。状態フラグビットは、固定利得増幅器の状態レジスタ内に記憶されてもよく、状態フラグビットに対応するイネーブル値及びディスエーブル値は、予め設定されてもよい。本発明の実施形態では、この値を指定しない。
【００３８】
図３は、本発明の一実施形態による、高速電力増幅器制御のための方法の読み出しフローチャートである。図３に示すように、読み出しプロセスは、以下のステップを含む。
【００３９】
ステップ３０１：データ伝送が完了する。すなわち、モバイル端末が、基地局にデータを伝送し、データ伝送は完了する。
【００４０】
ステップ３０２：固定利得増幅器がディスエーブルされているかどうか、ｙｅｓの場合ステップ３０５に進み、ｎｏの場合ステップ３０３に進む。
【００４１】
ステップ３０３：基準伝送電力値及び利得レベルを読み出し、基準伝送電力値及び利得レベルを記憶モジュール内に保存する。
【００４２】
ステップ３０４：固定利得増幅器をディスエーブルする。
【００４３】
ステップ３０５：プロセスは終了する。
【００４４】
具体的には、ステップ３０２〜３０４で、データ伝送が完了した後、固定利得増幅器がディスエーブルされていない場合、プロセッサは、固定利得増幅器がディスエーブルされる前、かつ、自動利得制御器が最後に利得を調節した後に、基準伝送電力値を自動利得制御器から読み出し、利得レベルを固定利得増幅器から読み出し、それらを記憶モジュール内に保存し、次に、固定利得増幅器を直ちにディスエーブルする。
【００４５】
ステップ３０２で、モバイル端末がデータサービス状態から呼応答状態に移り、モバイル端末がデータの送信を停止した場合、固定利得増幅器は、次に、ディスエーブルされる。結果として、利得レベルは、固定利得増幅器から読み出されない。従って、プロセスは終了する。
【００４６】
本発明の実施形態によって提供される、電力を読み出すプロセスを使用すれば、固定利得増幅器がディスエーブルされる前に、現在の伝送電力及び利得レベルが読み出され、保存されることが可能であり、固定利得増幅器がディスエーブルされる前の上りリンク上の利得状態が記録されることが可能である。
【００４７】
図４は、本発明の一実施形態による、高速電力増幅器制御のための方法の書き込みフローチャートである。図４に示すように、書き込みプロセスは、以下のステップを含む。
【００４８】
ステップ４０１：加入者データを送信する準備をする。すなわち、モバイル端末が、加入者データを基地局に送信する準備をする。
【００４９】
ステップ４０２：固定利得増幅器がイネーブルされているかどうか、ｙｅｓの場合ステップ４０５に進み、ｎｏの場合ステップ４０３に進む。
【００５０】
ステップ４０３：基準伝送電力値及び利得レベルを書き込む。
【００５１】
ステップ４０４：固定利得増幅器をイネーブルする。
【００５２】
ステップ４０５：プロセスは終了する。
【００５３】
具体的には、ステップ４０２〜４０４で、加入者データを送信する準備をする場合、プロセッサは、記憶モジュール内に保存された基準伝送電力値を自動利得制御器内に書き込み、記憶モジュール内に保存された利得レベルを固定利得増幅器内に書き込み、次に、固定利得増幅器を直ちにイネーブルする。
【００５４】
ステップ４０２で、モバイル端末がデータサービス状態から呼応答状態に移り、次に、呼応答状態からデータサービス状態に再び移った場合、モバイル端末は、データの伝送を開始し、固定利得増幅器はイネーブルされ、ここで、この時、固定利得増幅器をイネーブルすることは、プロセッサによって制御されることはできず、従って、プロセッサは、利得レベルを、固定利得増幅器から読み出すことができず、プロセスは終了する。
【００５５】
本発明の実施形態によって提供される、電力を書き込むプロセスを使用すれば、固定利得増幅器がディスエーブルされる前の基準伝送電力値、及び利得レベルが、第１の状態レジスタ、及び第２の状態レジスタ内に書き込まれ、これにより、自動利得制御器、及び固定利得増幅器は、固定利得増幅器がディスエーブルされる前の動作状態に回復することが可能であり、これにより、固定利得増幅器がディスエーブルされる際の電力が、固定利得増幅器が再びイネーブルされる際の電力と一致することが保証される。
【００５６】
当業者は、実施形態における方法のステップの全て又は一部が、関連するハードウェアに指示するプログラムによって実施されてもよい、ということを理解するであろう。プログラムは、コンピュータ読み取り可能な記憶媒体内に記憶されてもよい。プログラムが実行される場合、実施形態における前述の方法のステップが実行される。記憶媒体は、ＲＯＭ、ＲＡＭ、磁気ディスク、又は光ディスクなどの、プログラムコードを記憶することが可能な任意の媒体を含む。
【００５７】
最後に、前述の実施形態は、本発明を限定することではなく、本発明の技術的解決法を説明することを意図するものにすぎない、ということに留意されたい。本発明について、前述の実施形態を参照して詳細に説明したが、当業者は、本発明の実施形態の技術的解決法の範囲から逸脱することなく、前述の実施形態において説明された技術的解決法に対して更に修正を行うこと、又は、それらの技術的特徴のうちのいくつか又は全てに対して均等な置換を行うことが可能である、ということを理解するであろう。
【図１】
2014039243.tif 000003
【図２】
2014039243.tif 000004
【図３】
2014039243.tif 000005
【図４】
2014039243.tif 000006
【外国語明細書】
2014039243000001.pdf